(57)【要約】  タイヤのデジタル表現（１０）内に存在する条線を参照するための方法において、条線のタイプを参照するために、自動手段は、−参照される条線（１、２）のタイプを含む少なくとも１つの表現を決定するステップと、−表現（１０）のピクセル又はボクセルの少なくとも１つのセグメントを識別するステップと、−セグメントのピクセル又はボクセルのグレイレベル又はカラーレベル間の差に関連した少なくとも１つの値を記録するステップと、を実行する。【選択図】図１
2018501480.tif 000002
【特許請求の範囲】
【請求項１】
タイヤのデジタル表現（１０、２０）内に存在する条線を参照するための方法であって、条線のタイプを参照するために、自動手段が、
−参照される条線（３）のタイプを含む少なくとも１つの表現（３０）を決定するステップと、
−前記表現のピクセル又はボクセル（６、７、８、１４、１５、１６、１７、１８）の少なくとも１つのセグメント（４）を識別するステップと、
−前記セグメントのピクセル又はボクセルのグレイレベル又はカラーレベル間の差に関連した少なくとも１つの値を記録するステップと、
を実行することを特徴とする、方法。
【請求項２】
前記値、又は前記値の少なくとも１つが、
−前記セグメント（４）のピクセル又はボクセル（６、７、８、１４、１５、１６、１７、１８）に関連した周期（１１、１２、１３）の平均周期、
−前記セグメントの隣接ピクセル又はボクセルの各ペア内のグレイレベル又はカラーレベル間の差の絶対値の平均、及び
−好ましくは、付加的に、前記平均周期に基づいて決定された長さ
の群の中から選択されることを特徴とする、請求項１に記載の方法。
【請求項３】
タイヤをチェックするための方法であって、タイヤのデジタル表現（１０、２０、３０、６０）内の条線領域を位置決めするために、自動手段が、
−前記表現（１０、２０、３０、６０）の領域の少なくとも１つのピクセル又はボクセル（６１、６４）を考慮に入れるステップと、
考慮する前記ピクセル若しくはボクセルに対して、又は考慮する各ピクセル若しくはボクセル（６１、６４）に対して、
−前記考慮するピクセル又はボクセル（６１、６４）を中心としたピクセル又はボクセルのセグメント（６２、６５）を識別するステップと、
−前記セグメント（６２、６５）のピクセル又はボクセルのグレイレベル又はカラーレベル間の差に関連した少なくとも１つの値を決定するステップと、
−前記値又は複数の値を１つ又はそれ以上の所定の閾値と比較するステップと、
を実行することを特徴とする、方法。
【請求項４】
前記差に関連した前記値、又は前記値の少なくとも１つが、前記セグメント（６２、６５）の隣接ピクセル又はボクセル（６、７、８、１４、１５、１６、１７、１８）の各ペア内のレベルの差の絶対値の平均であることを特徴とする、請求項３に記載の方法。
【請求項５】
前記差に関連した前記値、又は前記値の少なくとも１つが、前記セグメント（６２、６５）の前記ピクセル又はボクセル（６１、６４）に関連した周期（６７、６８）の平均周期であることを特徴とする、請求項３又は４に記載の方法。
【請求項６】
前記前記差に関連した前記値、又は前記値の少なくとも１つが、前記セグメント（６２、６５）のピクセル又はボクセルに関連した周期（６７、６８）の数であることを特徴とする、請求項３〜５のいずれかに記載の方法。
【請求項７】
前記前記差に関連した前記値、又は前記値の少なくとも１つが、前記セグメント（６２、６５）のピクセル又はボクセル（６１、６４）に関連した周期（６７、６８）の長さであることを特徴とする、請求項３〜６のいずれかに記載の方法。
【請求項８】
前記自動手段が、二値「０」又は「１」を前記セグメントの各ピクセル又はボクセルにそのレベルに基づいて関連付け、前記差に関連した前記値、又は前記値の少なくとも１つが、前記自動手段が前記セグメントを一方向に走査したときの隣接ピクセル又はボクセルのペア内の値間の変化に関連し、これらの変化は、同一であり、各ペアの第１のピクセルは、好ましくは、前記方向に従って予め定められた前記セグメントの一端に位置する前記セグメントのピクセル又はボクセルの値と同一の値を含むことを特徴とする、請求項３〜７のいずれかに記載の方法。
【請求項９】
前記自動手段が、二値「０」又は「１」を前記セグメントの各ピクセル又はボクセルにそのレベルに基づいて関連付け、前記差に関連した前記値、又は前記値の少なくとも１つが、前記自動手段が前記セグメントを一方向に走査したときの隣接ピクセル又はボクセルのペア内の値間の変化に関連付けられ、これらの変化は、同一であり、各ペアの第１のピクセルは、好ましくは、前記方向に従って予め定められた前記セグメントの一端に位置する前記セグメントのピクセル又はボクセルの値と異なることが好ましい値を含むことを特徴とする、請求項３〜８のいずれかに記載の方法。
【請求項１０】
請求項３〜９のいずれかによるタイヤの整合をチェックするための方法であって、自動手段が、さらに、
−タイヤの少なくとも１つの条線領域を含むベース表現（７０、７４）の少なくとも１つのダイレーションを決定し、ダイレーション表現（７２）を得るステップと、
−前記ベース表現（７０、７４）の少なくとも１つのエロージョンを行って、エロージョン表現（７１）を得るステップと、
−前記ダイレーション表現（７２）と前記エロージョン表現（７１）との差を決定して、差表現（７３、７５）を得るステップと、
を実行することを特徴とする、方法。
【請求項１１】
コンピュータ上で実行されたときに請求項１〜１０のいずれかによる前記方法の前記ステップの実行を命令するよう適合されたコード命令を含むことを特徴とする、コンピュータプログラム。
【請求項１２】
請求項１〜１０のいずれか１つ又はそれ以上による方法を実行するように適合されたことを特徴とする、タイヤのデジタル表現内の条線をチェックするための装置。
【請求項１３】
条線に関連した値のデータベースを含んだ記録媒体を含むことを特徴とする、請求項１２に記載の装置。
【発明の詳細な説明】
【背景技術】
【０００１】
本発明は、画像内の条線の検出及び参照に関する。
【０００２】
情報が刻み込まれたタイヤの領域の位置決めを行う目的で、特にタイヤの画像内の条線を検出することが望ましい。これらの領域を、その後、欠陥を含んでいないことをチェックするために検出することもまた望ましい場合がある。条線付き領域は、所与の方向に規則的に繰り返される形状、線又は曲線などのパターンを有するような領域である。
【０００３】
画像内の条線を検出するための、条線の頻度（周波数）を検出するためにスペクトル的手法を用いる公知の方法がある。この目的で、フーリエ・フィルタリングが一般的に用いられる。被検査画像に対してフーリエ変換を行う。得られた画像は、フーリエ空間内で検査画像の周波数を表し、その中で画像のグレイレベル又はカラーレベルの異なる周波数に対応して、ピークが見いだされる。したがって、初期画像内の条線に対応する周波数が見いだされ、初期画像内の条線の存在及び位置がこれらの周波数から推定される。しかしながら、この手法は、特に大きい画像に対して使用される場合、それに対してフーリエ変換の演算処理を行う必要があり、計算時間の費用がかさむ。そしてまた、この手法は、特に条線に対応する周波数を背景ノイズに対応する周波数から分離することが複雑なことであることから、比較的難しくかつ不正確である。なぜなら、フーリエ変換によって得られた画像内で条線に対応する周波数ピークが明確に画定されることはめったにないからである。
【０００４】
画像内の条線を検出するための別のタイプの方法は、検査画像を参照画像として知られる条線を含む画像と比較して、画像間の相関率を計算することにある。このタイプの方法の主たる欠点は、参照画像を収容するのに非常に大容量のメモリを必要とすること、及び画像部分を互いに比較して相関率を決定するのに非常に長い計算時間を要することである。
【発明の概要】
【発明が解決しようとする課題】
【０００５】
本発明の１つの目的は、上述の方法と比べて、より単純、より正確、及びより信頼性が高く、一方で、計算時間及びメモリの費用がより少ない方法を提供することである。
【課題を解決するための手段】
【０００６】
この目的で、タイヤのデジタル表現内に存在する条線を参照するための方法が提供され、該方法において、条線タイプを参照するために、自動手法は、以下のステップを実行する。
−参照される条線タイプを含む少なくとも１つの表現を決定するステップ、
−該表現のピクセル又はボクセルの少なくとも１つのセグメントを識別するステップ、及び
−該セグメントのピクセル又はボクセルのグレイレベル又はカラーレベル間の差に関連した少なくとも１つの値を記録するステップ。
【０００７】
したがって、記録された値、又は記録された値の各々は、その後、対照として用いられ、該対照は、ある検査画像が条線を含んでいるか否かを判定するために、検査画像内で測定された１つ又はそれ以上の値と比較される。例えば一度にピクセル１つずつ画像を検討する代わりに、セグメント手法を用いて、連続的なピクセルのシーケンスに関連した値を参照することができる。それゆえ、この手法は、セグメントが条線と垂直な場合に特に適しており、その場合、グレイレベル又はカラーレベル間の差に関連した値は、ピクセルのレベルの変動を明らかにする。この方法は、その後で用いられる条線検出法のタイプに依存しない。ピクセルではなくボクセルが関与する場合にも同じ見解が適用できる。そのことはまた、以下の文章全体にわたって、ピクセルが考慮に入れられている場合に当てはまる。
【０００８】
本発明による方法が用いられるデジタル表現は、３つのタイプであり得る。すなわち、
−各ピクセルが輝度情報を持つ二次元画像に対応する「２Ｄ」として知られる表現、
−各ピクセルが深度情報を持つ二次元画像に対応する「２．５Ｄ」として知られる表現、
−各ボクセルが輝度情報を持つ三次元画像に対応する「３Ｄ」として知られる表現。
【０００９】
用いられる取得データ（ａｃｑｕｉｓｉｔｉｏｎ）が「レリーフ」タイプのデータ要素を含む場合、画像の各ピクセルは、条線の深度に関するトポロジ情報を持つ。グレイレベル又はカラーレベルは、この条線深度に対応する。取得データが輝度情報を持つ場合、レベルは、例えば条線の底部と頂部との間のコントラストに対応する。
【００１０】
値、又は値の少なくとも１つは、以下の群の中から選択されることが有利である。
−セグメントのピクセル又はボクセルに関連した周期の平均周期、
−セグメントの隣接ピクセル又はボクセルの各ペア内のグレイレベル又はカラーレベル間の差の絶対値の平均、及び
−好ましくは、付加的に、平均周期に基づいて決定された長さ。
【００１１】
したがって、平均は、検査画像のピクセルのセグメントが条線付き領域内に位置している可能性があるか否かを判定するための対照としての役割を果たす。条線の数が増加するにつれて、互いに隣接した異なるグレイレベルのピクセルの数もまた増加し、隣接ピクセル間のレベルの平均差もまた増大する。平均周期を用いて、条線のピーク間又は条線間トラフ間の平均距離区間を確立することができる。最後に、長さを用いて、条線領域に関する関連情報を含むのに十分に大きく、かつ、該参照値又は他の参照値の計算に時間がかかりすぎることを避けるのに十分に小さいセグメントを比較することができる。セグメントの長さは、３．５平均周期に設定されることが有利である。これらの３つのパラメータ、すなわち周期、平均、及び長さの組合せを用いて、条線のタイプを参照することができる。いずれの条線領域内にも、多数の微細な条線、少数の大きい条線、又はその他のタイプが存在し得る。それゆえ、各条線タイプは、３つの参照パラメータの値又は値の組合せに対応する。
【００１２】
タイヤをチェックするための方法もまた提供され、該方法において、タイヤのデジタル表現内の条線領域の位置決めを行うために、自動手段は、以下のステップを実行する。
−表現の領域の少なくとも１つのピクセル又はボクセルを考慮に入れるステップ、並びに考慮するピクセル若しくはボクセルに対して、又は考慮する各ピクセル若しくはボクセルに対して、
−考慮するピクセル又はボクセルを中心としたピクセル又はボクセルのセグメントを識別するステップ、
−セグメントのピクセル又はボクセルのグレイレベル又はカラーレベル間の差に関連した少なくとも１つの値を決定するステップ、及び
−値又は複数の値を１つ又はそれ以上の所定の閾値と比較するステップ。
【００１３】
したがって、ここでもまた、一度にピクセル１つずつ画像を検討する代わりに、セグメント手法を用いて、連続的なピクセルのシーケンスに関連した値を決定することができる。それゆえ、この手法は、検査されるセグメントが条線と垂直な場合に特に適しており、その場合、グレイレベル又はカラーレベル間の差に関連した値は、ピクセルのレベルの変動を明らかにする。さらに、条線を検出する目的で被検査画像を直接使用するので、フーリエ解析のような複雑な計算によって変換された画像内の周波数ピークを検出する試みはもはや必要ではない。さらに、１つの考慮ピクセルから隣接する考慮ピクセルに移動するとき、このピクセルを中心とするセグメントは、既に計算されたピクセル又はボクセルのレベルの差に関連した値を含むことになる。したがって、計算を因数分解することによって、複数の重なり合ったセグメント間の差に関連した値を迅速に計算することが可能である。
【００１４】
差に関連した値、又は値の少なくとも１つは、セグメントの隣接ピクセル又はボクセルの各ペア内のレベルの差の絶対値の平均であることが有利である。
【００１５】
したがって、差の絶対値の平均を用いて、そのセグメントが高度に条線付きの領域内に位置しているか否かを判定することができる。この値は、簡単かつ迅速に決定することができ、このようにして、条線付き領域の一部を形成していないピクセルを排除することができる。例えば、平均差が小さい場合、このことは、そのセグメント、したがってその中心に位置するピクセルが、グレイレベル又はカラーレベルに関して比較的均質な領域内に位置していることを示す。他方、平均差が高い場合、このことは、グレイレベル又はカラーレベルが、一端に位置するピクセルから他端に位置するピクセルまで、セグメント全体にわたってかなり変化していることを意味する。この場合、このセグメントの中心に位置するピクセルは、条線領域内にある可能性があるとみなされ、これは排除されない。
【００１６】
差に関連した値、又は値の少なくとも１つは、セグメントのピクセル又はボクセルに関連した周期の平均周期であることが好ましい。
【００１７】
したがって、平均周期は、セグメント内の隣接ピクセルの値の２つの同一の変化間の平均距離を表す。それゆえ、これは、セグメントの条線の２つのピーク間、又は２つの条線間トラフ間の平均区間に対応する。
【００１８】
差に関連した値、又は値の少なくとも１つは、セグメントのピクセル又はボクセルに関連した周期の数であることが有利である。
【００１９】
差に関連した値、又は値の少なくとも１つは、セグメントのピクセル又はボクセルに関連した１つ又はそれ以上周期であることが好ましい。
【００２０】
したがって、例えば、各周期、例えば２つの条線ピーク間の区間と、所定の値とを比較することが可能である。
【００２１】
有利には、自動手法は、二値「０」又は「１」をセグメントの各ピクセル又はボクセルにそのレベルに基づいて関連付け、差に関連した値、又は値の少なくとも１つは、自動手段がセグメントを一方向に走査したときの隣接ピクセル又はボクセルのペア内の値間の変化に関連し、これらの変化は同一であり、各ペアの第１のピクセルは、好ましくは上記方向に従って予め定められたセグメントの一端に位置する、セグメントのピクセル又はボクセルの値と同一の値を含む。
【００２２】
したがって、セグメントは二値化され、２つのタイプのピクセルのみ、すなわち条線内に位置するピクセルと、２つの条線間に位置するピクセルとが区別されるようになっている。この場合、セグメントのピクセル又はボクセルのグレイレベル又はカラーレベル間の差に関連した値の全ての計算、特に周期の計算が単純化される。
【００２３】
さらに、ピクセル又はボクセルに関連した値の計算がセグメントの第１のピクセル又はボクセルの二値に依存して行われる場合、レベルの差に関連した値の計算は、２つの条線ピーク間の区間に対してのみ、又は２つの条線間トラフ間の区間に対してのみ行われるが、これらの両方が同時に行われることはない。このようにして、計算時間がさらに削減される。
【００２４】
有利には、二値をセグメントのピクセルに関連付けるために、
−セグメントのピクセル又はボクセルの値の平均値が決定され、
−二値は、セグメントの各ピクセル又はボクセルに対して、その値と平均数値との間の差の関数として割り当てられる。
【００２５】
したがって、例えば、ピクセル又はボクセルの値が平均値より大きいか又は等しい場合には、二値「１」に関連付けられ、そうでない場合には「０」に関連付けられる。
【００２６】
好ましくは、自動手段は、二値「０」又は「１」をセグメントの各ピクセル又はボクセルにそのレベルに基づいて関連付け、差に関連した値、又は値の少なくとも１つは、自動手段がセグメントを一方向に走査したときの隣接ピクセル又はボクセルのペア内の値間の変化に関連し、これらの変化は同一であり、各ペアの第１のピクセルは、好ましくは、上記方向に従って予め定められたセグメントの一端に位置する、セグメントのピクセル又はボクセルの値と異なることが好ましい値を含む。
【００２７】
したがって、二次周期は、上記で定められた値と同じ方式で、それらに対して相補的に、２つの条線間トラフ間の区間又は２つの条線ピーク間の区間のいずれかを表すが、両方は表さない。したがって、上記で定められた値が２つの条線ピーク間の区間に関連する場合、二次周期は条線間トラフ間の区間に関連し、逆もまた同様である。
【００２８】
セグメントは、表現の少なくとも３つの連続したピクセル又はボクセルから成ることが有利である。
【００２９】
タイヤの整合をチェックするための方法が提供され、該方法において、自動手段は、以下のステップを実行する。
−タイヤの少なくとも１つの条線領域を含むベース表現の少なくとも１つのダイレーション（膨張処理）を決定し、ダイレーション表現を得るステップ、
−ベース表現の少なくとも１つのエロージョン（収縮処理）を決定して、エロージョン表現を得るステップ、及び
−ダイレーション表現とエロージョン表現との差を決定して、差表現を得るステップ。
【００３０】
ダイレーションは、ベース画像の条線領域の代わりに、ダイレーション画像内に、条線間区間がダイレーションによって消去された滑らかな条線領域を作り出す。他方、エロージョンは、ベース画像の条線領域の代わりに、エロージョン画像内に、条線がエロージョンによって消去された滑らかな条線区間領域を作り出す。したがって、ベース表現の条線が完全であれば、差表現は、ベース表現の条線領域と同じ位置に完全に均質な領域を含むはずである。実際、条線領域が欠陥を含んでいない場合、差表現は、条線領域に対応する領域を含み、その中でグレイレベル又はカラーレベルは、ノイズ許容差の区間内で実質的に一定である。逆の場合には、差表現は、そのグレイレベル又はカラーレベルが、まわりを取り囲むピクセルのレベルとは全く異なる、１つ又はそれ以上の領域を含む。
【００３１】
コンピュータ上で実行されたときに本発明による方法のステップの実行を命令するよう適合されたコード命令を含む、コンピュータプログラムもまた提供される。
【００３２】
最後に、本発明によれば、タイヤの表現内の条線をチェックするための装置が提供され、この装置は、上記の方法を実行するように適合されている。
【００３３】
本発明の別の態様によれば、１つの目的は、計算時間の費用がより少なく、実行がより速い、タイヤの条線の整合を解析するための方法を提供することである。この目的で、タイヤの整合をチェックするための方法が提供され、該方法において、自動手段は、以下のステップを実行する。
−タイヤの少なくとも１つの条線領域を含むベース表現の少なくとも１つのダイレーションを決定し、ダイレーション表現を得るステップ、
−ベース表現の少なくとも１つのエロージョンを決定して、エロージョン表現を得るステップ、及び
−ダイレーション表現とエロージョン表現との差を決定して、差表現を得るステップ。
【００３４】
このような方法は、参照の使用を必要としないので、既知の方法よりも実行するのがより簡単であるという利点を与える。好ましくは、自動手段は、条線の寸法、条線間区間、及び／又は条線の配向に基づいて、ダイレーション及びエロージョンの１つ又はそれ以上の構造化要素を作り出す。
【００３５】
したがって、構造化要素は、上流で検出された条線の各タイプに適合される。このようにして、可能な限り最も適切なダイレーション及びエロージョン操作を行うことができ、それにより条線及び条線間区間が可能な限り最も正確な方式でそれぞれ消去され、その一方で他の要素は保持される。
【００３６】
自動手段は、異なるそれぞれの構造化要素を用いてベース表現の少なくとも２つのダイレーションを行い、ダイレーション表現を得ることが有利である。
【００３７】
自動手段は、異なるそれぞれの構造化要素を用いてベース表現の少なくとも２つのエロージョンを行い、エロージョン表現を得ることが好ましい。
【００３８】
したがって、同じ条線領域内に１つより多くの配向又は異なる厚さを有する条線のような複雑な形状の場合は、条線を異なるタイプの条線に分離し、領域内の異なるタイプの条線に対して適合された構造化要素を用いて、ダイレーション及び／又はエロージョン操作を各条線タイプに対して繰り返す。
【００３９】
差表現のピクセル又はボクセルの数値は、少なくとも１つの所定の閾値と比較されることが有利である。
【００４０】
したがって、ピクセル又はボクセルの値のうちの幾つかが閾値から隔たっている場合、ベース表現の条線は欠陥を含むとみなされる。他方、全ての値が所定閾値に対して所定の区間内にある場合、ベース表現の条線領域は、欠陥を含まず、それゆえタイヤは整合しているとみなされる。
【００４１】
閾値、又は閾値の少なくとも１つは、差表現のピクセル又はボクセルの値の中央値であることが好ましい。
【００４２】
ベース表現は、黒、白及びグレイレベル以外の色を含まないことが有利である。
【００４３】
しかしながら、ベース表現は、黒、白及びグレイを含むこともできる。
【００４４】
好ましくは、タイヤのデジタル表現内の条線領域を位置決めするために、自動手段は、以下のステップを実行する。
−表現の領域の少なくとも１つのピクセル又はボクセルを考慮に入れるステップ、並びに
考慮するピクセル若しくはボクセルに対して、又は考慮する各ピクセル若しくはボクセルに対して、
−考慮するピクセル又はボクセルを中心としたピクセル又はボクセルのセグメントを識別するステップ、
−セグメントのピクセル又はボクセルのグレイレベル又はカラーレベル間の差に関連した少なくとも１つの値を決定するステップ、及び
−値又は複数の値を１つ又はそれ以上の所定の閾値と比較するステップ。
【００４５】
したがって、一度にピクセル１つずつ画像を検討する代わりに、セグメント手法を用いて、連続的なピクセルのシーケンスに関連した値を参照することができる。それゆえ、この手法は、検査されるセグメントが条線と垂直な場合に特に適しており、その場合、グレイレベル又はカラーレベル間の差に関連した値は、ピクセルのレベルの変動を明らかにする。さらに、条線を検出する目的で被検査画像を直接使用するので、フーリエ解析のような複雑な計算によって変換された画像内の周波数ピークを検出する試みはもはや必要ではない。さらに、１つの考慮ピクセルから隣接する考慮ピクセルに移動するとき、このピクセルを中心とするセグメントは、既に計算されたピクセル又はボクセルのレベルの差に関連した値を含む。したがって、計算を因数分解することによって、複数の重なり合ったセグメント間の差に関連した値を迅速に計算することが可能である。
【００４６】
タイヤのデジタル表現内に存在する条線を参照するための方法が提供され、該方法において、条線のタイプを参照するために、自動手法は、以下のステップを実行する。
−参照される条線のタイプを含む少なくとも１つの表現を決定するステップ、
−表現のピクセル又はボクセルの少なくとも１つのセグメントを識別するステップ、及び
−セグメントのピクセル又はボクセルのグレイレベル又はカラーレベル間の差に関連した少なくとも１つの値を記録するステップ。
【００４７】
したがって、記録された値、又は各々の記録された値は、その後、対照として用いられ、該対照は、ある検査画像が条線を含んでいるか否かを判定するために、検査画像内で測定された１つ又はそれ以上の値とが比較される。例えば一度にピクセル１つずつ画像を検討する代わりに、セグメント手法を用いて、連続的なピクセルのシーケンスに関連した値を参照することができる。それゆえ、この手法は、セグメントが条線と垂直な場合に特に適しており、その場合、グレイレベル又はカラーレベル間の差に関連した値は、ピクセルのレベルの変動を明らかにする。この方法は、その後で用いられる条線検出法のタイプに依存しない。
【００４８】
コンピュータ上で実行されたときに本発明による整合チェック方法のステップの実行を命令するよう適合されたコード命令を含む、コンピュータプログラムもまた提供される。
【００４９】
タイヤの整合をチェックするための装置もまた提供され、この装置は、上記の方法の１つを実行するように適合されている。
【００５０】
最後に、コンピュータ可読ストレージ媒体が提供され、この媒体は、本発明によるプログラムを記録形態で含む。
【００５１】
装置は、条線に関連した値のデータベースを含んだ記録媒体を含むことが好ましい。
【００５２】
本発明の実施形態を、ここで、添付の図面の助けを借りて非限定的な例によって説明する。
【図面の簡単な説明】
【００５３】
【図１】条線領域を含むデジタル画像を示す。
【図２】条線領域を含むデジタル画像を示す。
【図３】デジタル画像を模式的に示す。
【図４】図３の画像のセグメントを模式的に示す。
【図５】セグメントを二値化形態で模式的に示す。
【図６】本発明の実施形態による方法を示す。
【図７】画像を模式的に示す。
【図８】画像のセグメントを模式的に示す。
【図９】二値化形態のセグメントを模式的に示す。
【図１０】画像の別のセグメントを模式的に示す。
【図１１】図１０のセグメントを二値化形態で模式的に示す。
【図１２】本発明の別の実施形態による方法を示す。
【図１３】デジタル画像を模式的に示す。
【図１４】画像をエロージョン形態で模式的に示す。
【図１５】画像をダイレーション形態で模式的に示す。
【図１６】ダイレーション画像とエロージョン画像との間の差画像を模式的に示す。
【図１７】欠陥を有する条線領域を含むデジタル画像を示す。
【図１８】本発明の実施形態において、図１７の画像から得られる差画像を示す。
【図１９】本発明による方法を実行するための装置を示す。
【発明を実施するための形態】
【００５４】
タイヤチェック方法は、条線タイプを参照するためにタイヤ画像ベースを作成し、次いで試験画像内で、参照された条線タイプと類似した条線を検出することを意図する。条線の整合をチェックするための方法は、タイヤの条線領域が欠陥を有するか否かをチェックすることを意図する。
【００５５】
Ｉ  参照方法
この方法は、最初に条線のタイプを参照し、次いで参照した条線を用いて画像内の条線を検出することにある。
【００５６】
図１及び図２は、異なるタイプの条線を二次元画像１０及び２０で示す。これらの条線タイプは、条線の厚さ、その配向、その直線性、及び条線間区間、並びに各タイプの条線及び条線区間のグレイレベルにおいて互いに異なる。図１はまた、異なる条線タイプの２つの領域１及び２も示す。目標は、最初にこれらの全ての条線タイプを参照し、次いでこれらの条線が画像内に見いだされたときにそれを検出することである。
【００５７】
説明する種々の実施形態のステップは、装置９０の一部を形成する自動手段９１によって実行され、該装置は、特にプロセッサ９４とメモリ９５とを含み、データベース９２に接続さている。これらの要素を図１９に示す。この方法を実行するために、装置は、コンピュータプログラムを使用する。このプログラムは、その入力において、１つ又は複数の被検査画像と共に、参照される条線領域を含む画像又は画像の組を要求することができる。その出力において、このプログラムは、判定された条線タイプ及び被検査画像内のそれらの位置と共に、条線の各参照タイプに関するデータをユーザに供給する。同じプログラム、又は別個のプログラムを用いて、後述のような整合チェック方法を適用することもできる。その場合、プログラムは、その入力において、条線領域を含む画像を要求し、その出力において、「差画像」と呼ばれる画像を、何らかの欠陥を表すピクセルに関連したデータと共に供給する。入力画像は、画像内に検出された条線を有するとき、方法それ自体によって自動的に供給することができる。したがって、同じプログラムを用いて、タイヤの画像内の条線を判定し、同時にそれらの条線が欠陥を有するか否かを判定することができる。
【００５８】
このプログラムを、ウェブなどの遠距離通信ネットワーク、又は内部ネットワーク上で利用可能にして、ユーザがこれをダウンロードすることができるようにすることもできる。
【００５９】
同様に、プログラム又は等価の命令を、コンピュータ可読ストレージ媒体９３、例えば、ハードディスク、ＵＳＢフラッシュドライブ、ＣＤ、又は他のいずれかの等価な媒体上に記録することができ、これはデータベースを含むことができる。
【００６０】
条線タイプの参照を行うために、「参照画像」と呼ばれる画像が選択され、これらの画像は、図１及び図２の画像１０及び２０のような条線領域を含み、参照ベースを構築する。ベース内の参照画像の数が増加するにつれて、参照される異なる条線タイプの数もまた増加し、同時に、タイヤの検討又は試験画像内で検出することが可能な異なる条線タイプの数も増加する。この参照ベースは、たとえ本出願において明示的に説明されていないとしても、条線付き領域を含むあらゆる画像を含むことができる。
【００６１】
本事例では、縦の条線３を含む図３の模式的画像３０を考える。条線領域内で、ピクセルのセグメント４が選択される。これは「参照セグメント」と呼ばれる。画像３０の各ピクセル、したがって参照セグメント４の各ピクセルは、グレイレベル値を有する。詳細には、２１個のピクセルの参照セグメント４を選択する。異なる数のピクセルを含む参照セグメントを選択することができる。この数は、複数の条線と交差するのに十分なに大きく、かつ、後述の計算の時間がかかりすぎるのを避けるのに十分に小さい参照セグメントに対応する。参照セグメント４が選択されたとき、以下のステップが実行される。
【００６２】
１）参照セグメント４の隣接ピクセルの各ペア間のグレイレベルの差を絶対値として計算する。したがって、図３の参照セグメント４を拡大して模式的に示した図４のセグメント４において、ピクセル６のグレイレベルとピクセル７のグレイレベルとの間の差を絶対値として決定し、次いでピクセル７とピクセル８との間の差を決定し、以下同様に決定する。
【００６３】
２）これらの差を合計し、参照セグメント内のピクセル数から１単位を差し引いた数で除し、すなわち本事例では２０で除し、セグメントの隣接ピクセルの各ペア間のグレイレベルの差の平均を得る。「参照平均」と呼ばれるこの平均をデータベースに記録する。
【００６４】
３）参照セグメントのピクセルのグレイレベルの平均を計算する。
【００６５】
４）参照セグメント内で、先に計算したグレイレベルの平均に基づいてピクセルの値を二値化する。したがって、ピクセルのグレイレベルが参照セグメントのグレイレベルの平均と等しいか又はそれを超える場合、対応するピクセルに値「０」が与えられる。グレイレベルが平均を下回る場合、対応するピクセルに値「１」が与えられる。この結果、図５に示すセグメント５０が得られる。セグメント５０に基づいて、以下の計算を行う。
【００６６】
５）主周期と呼ばれる距離を二値化ピクセルのセグメント５０から決定する。主周期は、セグメントを左から右に走査したときの隣接ピクセルのペア内の値間の２つの変化間の最短距離をピクセルの数で表したものに対応し、これらの変化は同一であり、各ペアの第１のピクセルは、左端に位置するセグメントの第１のピクセルの値と同一の値を有する。したがって、図５において、左端に位置する第１のピクセル１４は、二値「１」を有する。それゆえ、二値「１」を有するピクセルと二値「０」を有するピクセルとの間の第１の変化を探索するサーチを行う。この変化は、ピクセル１５と１６との間で起こる。次いで第２の同一の変化、すなわち二値「１」を有するピクセルと二値「０」を有するピクセルとの間の変化を探索するサーチを、セグメントを左から右に走査して行う。この変化は、ピクセル１７と１８との間で起こる。このようにして、１１個のピクセルから成る主周期１１が得られる。同じように続けて、それに続く１つ又はそれ以上の主周期１２をセグメント内で見いだす。同じタイプの計算を、セグメントを右から左に走査することによって行うことが可能である。この場合、その二値が観測されることになるセグメントの第１のピクセルは、セグメントの右端の第１のピクセルとなる。
【００６７】
６）次いでセグメントの主周期の平均周期を計算し、データベースに記録する。これは、その後、「平均参照周期」と呼ばれる。
【００６８】
７）セグメントの「参照長さ」を設定する。本事例では、これは平均参照周期の３．５倍に設定される。３．５以外の数を選択することもでき、但しこの数は常に１より大きくなければならない。
【００６９】
上記ステップの結果として、図３の条線タイプがこの時点で参照としてデータベースに入力されたことになる。この条線タイプに対して入力された３つのデータ要素、すなわち、参照平均、平均参照周期及び参照長さは、どのような被検査画像内であっても、これらの条線が存在する場合には、このタイプの条線が検出されることを可能にしなければならない。
【００７０】
ＩＩ  条線を検出するための方法
本発明者らは、ここで画像内の条線の検出、すなわち、所与の画像内の条線を、上で説明したような各条線タイプに対して記録された３つのデータ要素によって参照される条線と比較することによって検出及び位置決めするための方法を考察する。多数の条線タイプが既に参照されている場合、参照された各条線タイプを、検出の際に決定される値と比較することができる。この目的で、本発明の好ましい実施形態による方法を示す図６を参照して、所与の条線タイプに対して以下のステップを実行する。
【００７１】
Ａ）被検査画像、この事例では図７の画像６０内で、ピクセル６１を選択する。ピクセル６１を中心として、２１個のピクセルの検査セグメント６２を決定する。このセグメントを図８に詳細に示す。参照方法のステップ１）及び２）と同じようにして、検査セグメント６２のピクセルの各ペア内のレベルの差の絶対値の平均を求める。次にこの結果を、参照方法によって記録された条線タイプの「参照平均」と比較し、その目標は、被検査画像をこの条線タイプと比較することである。この目的で、画像６０の検査セグメント６２について計算された平均を、考慮する条線タイプの「参照平均」を中心とした所定の値の区間と比較する。検査セグメントに対して計算された平均がこの区間内にある場合、このセグメンに対してステップＢ）が行われる。結果がこの区間内にない場合、検査セグメント６２を比較すべき別の参照条線タイプが選択され、ステップＡ）において、考慮する新たな参照条線タイプに対して方法を再始動する。このことは、参照平均の両側の高い閾値及び低い閾値を使用し、結果をこれらの閾値と比較することと等価である。
【００７２】
結果が全ての参照条線タイプについていずれの値区間内にも入らない場合、これは、ピクセル６１がいずれの参照条線タイプにも属さないことを意味する。ピクセル６１に対する全ての試験が停止され、別のピクセルを用いてプロセスを再開することができる。
【００７３】
この基準は、最小限のテクスチャ付けを有するが必ずしも条線に似ているとはかぎらない領域内のピクセルのみを残して、不適当なピクセルの大部分を排除する。
【００７４】
Ｂ）参照方法のステップ４）と同じようにしてセグメントを二値化し、ステップ５）及び６）と同じ計算を行う。この結果、図９の二値化検査セグメント６３によって模式的に表される、検査セグメント６２における主周期の平均周期が得られる。次いで、この平均周期を、ステップＡ）において首尾良く考慮された条線タイプに対して記録された参照周期と比較する。前と同じようにして、この比較を、「平均参照周期」を中心とした値の区間に対して実行する。セグメント６３の平均周期がその値の区間に属する場合、ピクセル６１及びその二値化検査セグメント６３は、ステップＣ）に進み、そうでない場合には別の条線タイプが選択され、ステップＡ）において、関与する新たな条線タイプに対して方法を再開する。
【００７５】
この基準は、サーチされた条線タイプ、すなわち参照された条線タイプとの類似性を全く有さない領域を排除する。
【００７６】
Ｃ）前のステップと同じようにして、二値化検査セグメント６３の主周期の数を、考慮した条線タイプに対応する記録された「参照長さ」、参照長さの値を中心とした値の区間と比較する。
【００７７】
この基準は、主として、テキストのマージンに近い幾つかの不適当な領域を排除するが、認識されて位置決めされているはずの条線領域の横方向マージンもまた排除する。これらの領域は、ダイレーション又はエロージョンといった二値モルホロジーステップによって、後で取り戻すことができる。
【００７８】
検査セグメントがこのステップを通過した場合、方法はステップＤ）に移る。そうでない場合、新たな参照条線タイプを用いて、ステップＡ）が繰り返される。
【００７９】
Ｄ）引き続き前のステップの場合と同じ条線タイプに対して、二値化検査セグメント６３の全ての周期を、参照セグメントの参照周期と比較する。この目的で、本方法は、主周期のみならず、検査セグメントが一方向に走査されたときの隣接ピクセルのペア内の値間の変化に対応する二次周期も考慮に入れ、これらの変化は同一であり、各ペアの第１のピクセルは、上記方向に従って予め定められた試験セグメントの一端に位置する、セグメントのピクセル又はボクセルの値と同一であることが好ましい値を含む。セグメントの二次周期の例は、図５のセグメント５０の周期１３である。したがって、これらの周期の各々が、考慮される条線タイプの平均参照周期を中心とする所定の値の区間と比較される。
【００８０】
全ての主周期及び二次周期がその区間内にある場合、検査セグメント６２がその中心を置くピクセル６１は、ステップＡ）からＤ）までが実行された条線タイプに属するとみなされる。
【００８１】
そうでない場合、新たな参照条線タイプを用いて、ステップＡ）からプロセスを再始動する。
【００８２】
全ての参照条線タイプがセグメントと比較されてもなお、ピクセルがステップＤ）を通過しない場合、検査セグメント６２のピクセル６１は、既に参照された条線タイプには属さないとみなされ、プロセスは停止される。プロセスは、別の検査セグメントが中心を置く別のピクセルを用いて、ステップＡ）から再始動することができる。
【００８３】
本事例において、もしセグメント６２のピクセル６１が単独で図３のタイプと同様の参照条線タイプと比較されたとすれば、検査セグメントのグレイレベルから見て、このセグメントは、ステップＢ）を通過しないか、それどころかステップＡ）において排除される可能性が非常に高い。さらに、このセグメントは、主周期も二次周期も有さない。
【００８４】
しかしながら、図７のピクセル６４を用いて方法が再始動され、ピクセル６４のあたりを中心とする検査セグメント６５が選択された場合、このピクセルは、図３のタイプと同様の参照条線タイプと比較された場合、図１０に詳細に示される検査セグメント６５のグレイレベル及び二値並びに図１１の二値化検査セグメント６６から見て、おそらくＤ）に至るまでこの方法を首尾良く通過するであろう。主周期６７及び二次周期６８もまた決定される。このとき、このピクセル６４は、これが比較された図３に示す条線タイプの領域と同様の条線領域の一部を形成するとみなされる。
【００８５】
同様に、あるピクセルがステップＤ）を首尾良く通過するとすぐに、同じ参照条線タイプに対して別のピクセルを用いてプロセスが再始動される。
【００８６】
１つの実施形態において、本方法は、画像の全てのピクセルを既に考慮に入れたとき、すなわち、これらの全てのピクセルに対して該方法の少なくともステップＡ）を行った時点で停止する。
【００８７】
別の実施形態において、画像の特定の部分のみ、又は画像の特定のピクセルのみが選択され、方法はこれらのピクセルのみに適用される。
【００８８】
例えば、ユーザは、画像内の条線を有している可能性がある領域を目視で位置決めすることができ、この画像領域にのみ本方法を適用することを決めることができる。
【００８９】
変法として、ステップＡ）において、ピクセル間の特定の差が記録される。なぜなら、所与のピクセルに対して最初に計算が行われ、その後、画像の同じピクセルライン上に位置するピクセルに対して計算が行われた場合、それらの検査セグメントは、同一ピクセルを有する場合があるからである。その場合、以前に計算した結果を計算に再使用することが有用である。
【００９０】
ステップＡ）を行うためにセグメントを二値化する必要はないので、このステップは、他の３つのステップに依存しないことに留意されたい。実際、このステップは、全てのステップの中で最も単純であり、それがこのステップを最初に行う理由である。
【００９１】
図１２の図によって示される別の実施形態において、あるピクセルがステップＡ）以外のステップで許容されなかった場合、ステップＡ）において別の条線タイプを用いてプロセスを再始動する代わりに、別の条線タイプを用いて同じステップの試験が行われる。それゆえ、ピクセルは、所与の条線タイプ対してステップＡ）の試験を通過し、次いで別の条線タイプに対してステップＢ）を通過することができ、以下同様である。
【００９２】
別の実施形態において、比較のために用いられる値の区間もまたデータベースに記録される。これらは、平均参照周期、参照長さ又は参照手段のような参照値を中心とする必要はない。これらは、これらを中心とすることなく、これらの値を含むことができる。従って、一方向において参照値に対する特定の変動が許容されるが、他方向には許容されない。
【００９３】
別の実施形態において、目標は、検査セグメント内の１つの条線タイプ又は複数の特定の条線タイプのみを検出することである。これは、検査セグメントのデータをこれらの条線タイプに関連する参照データと比較し、他の条線タイプとは比較しないことにある。
【００９４】
ＩＩＩ  条線の整合をチェックするための方法
条線がタイヤの画像上で既に位置決めされている場合に、これらの条線の整合を検査する。目標は、条線を含む領域が、これらの条線によって表される記号の理解に悪影響を及ぼしかねない欠陥を有していないことを検証することである。これは目視整合チェックとして知られる。前もって条線の位置探索をしておくことが２つの理由で必要である。すなわち、他の領域用の通常の整合チェックは、条線領域には適用することができず、また、これらの条線領域内の欠陥の測定及び許容差に対する基準は他の領域のものとは異なる場合があるためである。
【００９５】
平坦な領域において、欠陥は、領域の平均より大きい又は小さい高さ（ｅｌｅｖａｔｉｏｎ）によって特徴付けられる。
【００９６】
条線領域において、本実施形態の方法の原理は、条線を２つの異なる方式でフィルタリングして、平坦領域の２つの画像、すなわち条線の底部の平均を表す画像と、条線のピークの平均を表す画像とを得るようにすることである。上述の２つの画像間の差から得られる画像は、条線領域内で比較的一定の値のピクセルを含むはずであり、次にこれを検査する。そして、正常であれば一定であるはずの領域の一部が「異常」値を有する場合、欠陥が可視化する。
【００９７】
本事例において、目標は、図１３の画像７０の条線が欠陥を有するか否かを知ることである。
【００９８】
この目的で、画像７０のエロージョンを実行して、エロージョン画像を得る。構造化要素は、エロージョン画像内で条線が消失するように選択される。したがって、構造化要素の選択を目的として、条線間区間、条線の配向、及びそれらのサイズを考慮に入れる。エロージョンがグレイレベル内で行われる場合、条線及び区間のグレイレベルを考慮に入れることも可能である。図１４のエロージョン画像７１は、それゆえ、条線の底部の平均、換言すれば、条線間のトラフの平均を表す。
【００９９】
画像７０のダイレーションもまた実行される。ダイレーションの構造化要素として選択される要素は、図１５のダイレーション画像７２上で、条線を膨張させて条線間区間を満たすようにすることを可能にするものである。ダイレーション用の構造化要素の選択のための基準は、エロージョン用の基準と同じである。それゆえ、ダイレーション画像７２は、条線のピークの平均を表す。
【０１００】
次いで、差画像７３を得るために、ダイレーション画像７２とエロージョン画像７１との間の差を見いだす。この事例では、差画像は、均質なコンテンツを有する。従って、画像７０の条線領域には欠陥が存在しない。
【０１０１】
しかしながら、同じ方法を、条線の一部が消去された小さい欠陥８１を有する画像７４で実行すると、その結果は差画像７５であり、これは、部分８２の形態でこの欠陥を明らかにし、この部分内では、グレイレベルがその欠陥のまわりの比較的均質な領域と比べて異常である。
【０１０２】
本発明による方法を用いて、これらの欠陥を、ピクセルのグレイレベルの値を差画像のピクセルの中央値と比較することによって自動的に検出することができる。したがって、差画像のピクセルの１つの値が、画像のピクセルの中央値からかけ離れている場合、問題のピクセルは、画像の条線領域内の欠陥を顕在化するものと考えられる。
【０１０３】
本発明の別の実施形態において、複数のダイレーション及び／又はエロージョンを行うことができる。例えば、条線領域が異なる方向に配向した条線を含む場合、又は異なる厚さを含む場合、ある条線タイプを識別し、この条線タイプに対して操作を行い、そして、本方法を領域内で識別された別の条線タイプに対して再度適用することが可能である。したがって、特定の事例において、１つの条線タイプの欠陥と別の条線タイプの欠陥とが、これらの条線が互いに付加的である領域内で見いだされる。
【０１０４】
別の実施形態において、画像は、グレイの濃淡以外の色を含む。例えば赤、緑及び青の条線を検出し及び／又はチェックするために、条線の検出のための方法及び整合チェック方法に関連した上記の計算を、特に、各々の色のタイプに対して互いに独立して行うことができる。これらの色の値の組合せに基づく値に対して計算を適用することもできる。
【０１０５】
別の実施形態において、画像は、二次元ではなく、ボクセルを含む三次元の空間を形成する。したがって、グレイレベル又は他のカラーレベルに加えて、各ボクセルは、輝度値を含む。上記計算は、それゆえ、深さのレベルに対して行うこともできる。したがって、同一又は類似の色であっても、それらのレリーフによって互いに区別される条線を参照し、判定し及び／又はチェックすることが可能である。
【０１０６】
パートＩＩで説明した条線領域を検出するための方法、及びパートＩＩＩで説明した条線の整合をチェックするための方法は、互いに独立して用いることができる。特に、条線の整合は、パートＩＩの方法とは異なるやり方で条線領域を検出した後で、パートＩＩＩの方法に従って行うことができ、逆もまた同様である。
【符号の説明】
【０１０７】
１、２：条線領域
３：条線
４、６２、６５：セグメント
６、７、８、１４、１５、１６、１７、１８、６１、６４：ピクセル又はボクセル
１０、２０、３０、６０：デジタル表現
１１、１２、１３、６７、６８：周期
７０、７４：ベース表現
７１：エロージョン表現
７２：ダイレーション表現
７３、７５：差表現
９０：装置
９１：自動手段
９２：データベース
９３：コンピュータ可読ストレージ媒体
９４：プロセッサ
９５：メモリ
【図１】
2018501480.tif 000003
【図２】
2018501480.tif 000004
【図３】
2018501480.tif 000005
【図４】
2018501480.tif 000006
【図５】
2018501480.tif 000007
【図６】
2018501480.tif 000008
【図７】
2018501480.tif 000009
【図８】
2018501480.tif 000010
【図９】
2018501480.tif 000011
【図１０】
2018501480.tif 000012
【図１１】
2018501480.tif 000013
【図１２】
2018501480.tif 000014
【図１３】
2018501480.tif 000015
【図１４】
2018501480.tif 000016
【図１５】
2018501480.tif 000017
【図１６】
2018501480.tif 000018
【図１７】
2018501480.tif 000019
【図１８】
2018501480.tif 000020
【図１９】
2018501480.tif 000021
【国際調査報告】
2018501480.tif 000022
2018501480.tif 000023
2018501480.tif 000024
2018501480.tif 000025
2018501480.tif 000026
2018501480.tif 000027
2018501480.tif 000028
2018501480.tif 000029
2018501480.tif 000030
2018501480.tif 000031